(57)【要約】【課題】領収書の宛名を簡単に印字できるようにする。【解決手段】実施形態の商品販売登録処理装置は、名刺に印刷された名刺情報が符号化された２次元コードを復号化して得られる名刺情報に含まれる宛名情報をディスプレイに表示する宛名表示部と、前記ディスプレイに表示された宛名情報のうち領収書に印字する宛名を選択する選択部と、前記選択部で選択された宛名を領収書の宛名として、領収書をプリンタに印字させる領収書印字部とを備える。【選択図】図１
2012168891.tif 000002
【特許請求の範囲】
【請求項１】
名刺に印刷された名刺情報が符号化された２次元コードを復号化して得られる名刺情報に含まれる宛名情報をディスプレイに表示する宛名表示部と、
前記ディスプレイに表示された宛名情報のうち領収書に印字する宛名を選択する選択部と、
前記選択部で選択された宛名を領収書の宛名として、領収書をプリンタに印字させる領収書印字部と、
を備える商品販売登録処理装置。
【請求項２】
前記宛名表示部は、宛名情報として、会社名と氏名を前記ディスプレイに表示することを特徴とする請求項１記載の商品販売登録処理装置。
【請求項３】
前記ディスプレイはタッチパネルを有し、前記宛名表示部は、会社名が表示された選択ボタンと氏名が表示された選択ボタンを前記ディスプレイに表示することを特徴とする請求項１記載の商品販売登録処理装置。
【請求項４】
前記ディスプレイはタッチパネルを有し、前記宛名表示部は、ダイレクトメールを希望するかどうかの選択ボタンを前記ディスプレイに表示するとともに、前記選択部は、ダイレクトメールを希望することが選択入力された場合に、選択された宛名を記憶することを特徴とする請求項３記載の商品販売登録処理装置。
【請求項５】
前記選択部は、選択された宛名を、顧客識別情報と関連付けて記憶することを特徴とする請求項４記載の商品販売登録処理装置。
【請求項６】
商品登録処理を行う商品登録処理装置のコンピュータを、
名刺に印刷された名刺情報が符号化された２次元コードを復号化して得られる名刺情報に含まれる宛名情報をディスプレイに表示する宛名表示手段と、
前記ディスプレイに表示された宛名情報のうち領収書に印字する宛名を選択する選択手段と、
前記選択部で選択された宛名を領収書の宛名として、領収書をプリンタに印字させる領収書印字部手段と、
として機能させることを特徴とするプログラム。
【発明の詳細な説明】
【技術分野】
【０００１】
本発明の実施形態は、電子式キャッシュレジスタやＰＯＳ（販売時点情報管理）端末等の商品販売登録処理装置に関する。
【背景技術】
【０００２】
従来の商品販売登録処理装置は、領収書発行の際には、宛名欄と、購入金額、日付を印刷出力し、出力した領収書の宛名欄に手書きで、宛名を書き込んでいた。
【先行技術文献】
【特許文献】
【０００３】
【特許文献１】特開平１０−４０４６６号公報
【発明の概要】
【発明が解決しようとする課題】
【０００４】
このような商品販売登録処理装置においては、領収書の宛名欄への手書き記入の際に、漢字の間違えや確認などの手間がかかる。
【課題を解決するための手段】
【０００５】
実施形態の商品販売登録処理装置は、名刺に印刷された文字情報がコード化された２次元コードを読取るコード読取部と、前記コード読取部で読取った文字情報に含まれる宛名情報をディスプレイに表示する宛名表示部と、前記ディスプレイに表示された宛名情報のうち領収書に印字する宛名を指定する指定部と、前記指定部で指定された宛名を領収書の宛名として、領収書を発行する領収書発行部とを備えることを特徴とする。
【０００６】
実施形態のプログラムは、商品登録処理を行う商品登録処理装置のコンピュータを、
名刺に印刷された名刺情報が符号化された２次元コードを復号化して得られる名刺情報に含まれる宛名情報をディスプレイに表示する宛名表示手段と、前記ディスプレイに表示された宛名情報のうち領収書に印字する宛名を選択する選択手段と、前記選択部で選択された宛名を領収書の宛名として、領収書をプリンタに印字させる領収書印字部手段と、として機能させる。
【図面の簡単な説明】
【０００７】
【図１】一実施形態のＰＯＳ端末のブロック図
【図２】同ＰＯＳ端末が実行する商品登録業務の動作を示すフロー図
【図３】図ＰＯＳ端末が実行する領収書発行業務の動作を示すフロー図
【図４】図ＰＯＳ端末の領収書発行業務による宛名情報表示画面の説明図
【図５】図ＰＯＳ端末の領収書発行業務による領収書の説明図
【発明を実施するための形態】
【０００８】
以下図面を参照して、実施形態にかかる商品販売登録処理装置を説明する。
【０００９】
図１は、実施形態にかかる商品販売登録処理装置であるＰＯＳ端末の要部構成を示すブロック図である。制御部本体としてＣＰＵ１、商品販売データの登録処理等に必要な各種データが予め格納されたＲＯＭ２、商品販売データの登録処理等に必要な各種データを書き換え自在に格納するワークエリアとして機能するＲＡＭ３、ＣＰＵ１を制御して、商品登録処理や領収書を発行させるためのプログラム等が記憶されたＨＤＤ４、通信回線を介して接続されたストアコンピュータとのデータ通信を制御する通信インターフェイス５、登録締めキーや領収書発行キー等が配設されたキーボード６ を制御し、操作キーに対応したキー信号を取り込むキーボードコントローラ７、ディスプレイ８に対するデータ表示を制御する表示コントローラ９、ディスプレイ８に対するデータ表示を制御する表示コントローラ９、レシート用紙への印字を行うプリンタ１０を制御し、各種レシートを発行させるプリンタコントローラ１ １、バーコードや２次元コードを読取るスキャナ１２を制御し、スキャニングされたコードデータを取り込むスキャナコントローラ１３を備える。
【００１０】
次に、ＰＯＳ端末による登録業務を、図２のフローチャートに示す。スキャナ１２ によって商品バーコードが入力されると、ＣＰＵ１は、商品登録有りと判断し（ＳＴ１）、商品登録処理を実行する（ＳＴ２）。商品登録処理は、登録商品の点数及び金額の販売データを登録処理するとともに、登録商品の品名、価格等をディスプレイ８ に表示させる。
【００１１】
ＣＰＵ１は、登録締めが宣言されるまで、商品登録が行われる毎に商品登録処理を実行する。そして、キーボード６の締めキーが操作されると、ＣＰＵ１は、登録締め有りと判断し（ＳＴ３）、登録締め処理を実行する。登録締め処理は、今回の取引で登録された商品の合計金額に対して、例えば現金の預り締めが宣言された場合には、その預かり金額から合計金額を減じて釣銭を算出し、ディスプレイ８に表示させる。
【００１２】
次に、領収書発行業務を、図３のフローチャートに示す。キーボード６の領収書発行キーが操作されると、ＣＰＵ１は、領収書発行有りと判断し、スキャナ１４からの名刺情報の入力を待つ（ＳＴ４）。２次元コードは、名刺に記される、会社名、氏名、その他の情報として、住所や電話番号やファクシミリ番号や携帯電話番号や電子メールアドレス等の名刺情報を符号化し、縦横に展開して白黒交互の升目で縦横モザイク状にしたＱＲコードを使用する。スキャナ１４は、符号化された２次元コードを読取り復号化し、名刺情報として出力する。
【００１３】
ＣＰＵ１はスキャナ１４から名刺情報が入力されると、名刺情報の中から宛名情報を抽出する。抽出する宛名情報は、会社名、氏名である。そして、抽出した宛名情報をディスプレイ８に表示する（ＳＴ５）。
【００１４】
図４に、ディスプレイ８に表示させる宛名情報表示画面を示す。ディスプレイ８は、タッチパネル付きディスプレイであり、宛名情報表示画面には、「領収書に印字する宛名を選択してください」というメッセージと、「会社名」が表示された入力ボタン、「氏名」が表示された入力ボタンが表示される。更に、「ダイレクトメールを希望するかどうか選択してください」というメッセージと、「ＤＭメールを希望する」が表示された入力ボタン、「ＤＭメールを希望しない」が表示された入力ボタンを表示する。
【００１５】
ＣＰＵ１は、宛名の選択入力を待ち（ＳＴ６）、さらにＤＭメールの選択入力を待つ（ＳＴ７）。ＣＰＵ１は、宛名の選択入力及びＤＭメールの選択入力があると、宛名情報として選択された「会社名」あるいは「氏名」を、領収書の宛名として、日付、客買上商品合計、発行人とともに、プリンタ１０に、図５に示すような領収書を印字させる（ＳＴ８）。また、ＣＰＵ１は、「ＤＭメールを希望する」が選択されているか判断し（ＳＴ９）、「ＤＭメールを希望する」が選択されている場合、選択された宛名と、この宛名に関連して、住所、電話番号、ファクシミリ番号、携帯電話番号、電子メールアドレス等を名刺情報から抽出してＨＤＤ４に記憶する（ＳＴ１０）。また、顧客が、ポイントカード等を利用した場合には、ポイントカードに登録された顧客識別情報と、宛名を関連付けてＨＤＤ４に記憶する。  
なお、この発明は前記実施形態そのままに限定されるものではなく、実施段階ではその要旨を逸脱しない範囲で構成要素を変形して具体化できる。例えば、宛名の選択は、顧客によって、タッチパネル付きディスプレイ８を用いて、画面ボタンのタッチ入力で選択入力させるほかに、オペレータがディスプレイ８の宛名情報画面をみて、顧客に問い合わせ、顧客の選択回答を聞いて、オペレータがキーボード６から、選択された宛名を入力しても良い。
【００１６】
以上説明したとおり、上記の実施形態によれば、名刺情報を使用して領収書の宛名を簡単に印字することができる。
【符号の説明】
【００１７】
１  ＣＰＵ
２  ＲＯＭ
３  ＲＡＭ
４  ＨＤＤ
５  通信インターフェース
６  キーボード
８  ディスプレイ  
１０  プリンタ  
１２  スキャナ
【図１】
2012168891.tif 000003
【図２】
2012168891.tif 000004
【図３】
2012168891.tif 000005
【図４】
2012168891.tif 000006
【図５】
2012168891.tif 000007